(57)【要約】【課題】従来品よりも容易に着脱操作を行うことができる安全器具を提供すること。【解決手段】本考案の安全器具１は、第１部材１１には、挿入部２２を弾性変形させて第１部材１１と第２部材１２の連結を解除する操作を行うための操作部４６、４７が設けられている。利用者が操作部４６、４７を操作して挿入部２２と被挿入部２６との係合を解除すると、挿入部２２が被挿入部２６から引き抜き可能となり、挿入部２２を被挿入部２６から引き抜くことにより第１部材１１と第２部材１２は連結が解除されることを特徴とする。したがって、このような安全器具１であれば、連結を解除する際には、操作部４６、４７を操作して挿入部２２を被挿入部２６から引き抜くだけで、連結を解除することができるため、従来品に比べ連結を解除する操作が容易である。【選択図】図２
0003142924.tif 000002
【実用新案登録請求の範囲】
【請求項１】
暗い場所において周囲への注意喚起を図るために利用される安全器具であって、
光反射材または発光材からなる帯状または紐状の本体と、
前記本体の一端に設けられている第１部材と、
前記本体の他端に設けられている第２部材と
を備え、
前記第１部材に設けられた挿入部を前記第２部材に設けられた被挿入部に挿入すると、前記挿入部が弾性変形し、所定の位置まで挿入されたところで前記弾性変形が復元して、前記挿入部が前記被挿入部に係合することにより前記第１部材と前記第２部材が連結される構造になっており、
前記第１部材には、前記挿入部を弾性変形させて前記第１部材と前記第２部材の連結を解除する操作を行うための操作部が設けられ、
利用者が前記操作部を操作して前記挿入部と前記被挿入部との係合を解除すると、前記挿入部が前記被挿入部から引き抜き可能となり、前記挿入部を前記被挿入部から引き抜くことにより前記第１部材と前記第２部材は連結が解除される
ことを特徴とする安全器具。
【請求項２】
前記操作部は、前記第１部材の外面から単一方向に向かって突出しており、前記第１部材が前記第２部材と連結された場合に、その突出方向については、前記第２部材の外側に突出する形態とされており、前記突出方向に直交する方向については、前記第１部材および前記第２部材の外形寸法の内側に収まる形態とされている
ことを特徴とする請求項1に記載の安全器具。
【請求項３】
前記第２部材には、前記挿入方向に延びるスリットが形成され、
前記操作部は、前記挿入部を前記被挿入部に挿入したときに前記被挿入部の内側から前記スリットを通って前記被挿入部の外側へ突出する形態になっており、前記挿入部を前記被挿入部に対して抜き挿しする際には、前記被挿入部の外側へ突出する状態を維持したまま前記スリットに案内されて移動する
ことを特徴とする請求項２に記載の安全器具。
【請求項４】
前記操作部は、互いに離間した位置に突設された第１突起と第２突起を備え、
前記第１部材と前記第２部材が連結された状態で、前記第１突起と前記第２突起を互いに近づけるように前記操作部が操作された場合に、前記挿入部が弾性変形し、前記挿入部と前記被挿入部との前記係合が解除される
ことを特徴とする請求項１〜請求項３のいずれかに記載の安全器具。
【請求項５】
前記第１部材と前記第２部材が連結された状態で、前記突出方向とは反対方向の押圧力が前記操作部に加えられた場合に、前記挿入部が弾性変形し、前記挿入部と前記被挿入部との前記係合が解除される
ことを特徴とする請求項１〜請求項３のいずれかに記載の安全器具。
【考案の詳細な説明】
【技術分野】
【０００１】
本考案は、暗い場所において周囲への注意喚起を図るために利用される安全器具に関する。
【背景技術】
【０００２】
従来、光反射材からなる帯状の本体を備える安全器具としては、その本体の一端に２つの通し孔を有する挿通環を備え、その通し孔に本体の他端の端部を通すことによって、本体の両端を連結できるものが知られている（特開２００１−４９５１４を参照。）。
【０００３】
このような安全器具において、帯状の本体の両端を連結する際には、まず、挿通環の通し孔の２つのうち１つに、所定の方向から本体の他端の端部を通し、次に、挿通環の残りの通し孔に、所定の方向とは反対方向からその他端の端部を通すこととなる。
【考案の開示】
【考案が解決しようとする課題】
【０００４】
ところで、一般的な安全器具は、例えば、夜間の屋外での工事作業等において、周囲に対する注意喚起のために利用者が身に付けるというように使用されることが多い。そのため、屋外の状況が雨天時や気温の低い時にも使用され、利用者は、この安全器具の着脱の操作を屋外で行う場合がある。
【０００５】
しかしながら、上述のような従来品では、雨天時には挿通環および利用者の手元が濡れており、気温の低い時には利用者の手が悴んでいるため、屋外での着脱の操作において挿通環に対して他端を２度通すという細かな操作に手間がかかり、利用者にとって着脱の操作が不便である、という問題があった。
【０００６】
本考案は、上記問題に鑑みてなされたものであり、従来品よりも安全器具の着脱の操作が容易な安全器具を提供することを目的とする。
【課題を解決するための手段】
【０００７】
以下、本考案において、上記目的を達成するために採用した構成について説明する。
本考案の安全部材は、暗い場所において周囲への注意喚起を図るために利用される安全器具であって、光反射材または発光材からなる帯状または紐状の本体と、前記本体の一端に設けられている第１部材と、前記本体の他端に設けられている第２部材とを備え、前記第１部材に設けられた挿入部を前記第２部材に設けられた被挿入部に挿入すると、前記挿入部が弾性変形し、所定の位置まで挿入されたところで前記弾性変形が復元して、前記挿入部が前記被挿入部に係合することにより前記第１部材と前記第２部材が連結される構造になっており、前記第１部材には、前記挿入部を弾性変形させて前記第１部材と前記第２部材の連結を解除する操作を行うための操作部が設けられ、利用者が前記操作部を操作して前記挿入部と前記被挿入部との係合を解除すると、前記挿入部が前記被挿入部から引き抜き可能となり、前記挿入部を前記被挿入部から引き抜くことにより前記第１部材と前記第２部材は連結が解除されることを特徴とする。
【０００８】
このような安全器具によれば、第１部材の挿入部を第２部材の被挿入部に挿入するだけで、本体の両端を連結することができ、第１部材と第２部材との連結を解除する際には、操作部を操作するだけで、挿入部が被挿入部から引き抜き可能となり、挿入部を被挿入部から引き抜くことにより連結を解除することができる。
【０００９】
したがって、このような機構の安全器具であれば、一度だけ挿入部を被挿入部に挿入するだけで、本体の両端を連結することができるため、従来品のように装着に手間がかからない。また、本体の両端の連結を解除する際にも、操作部を操作して挿入部を被挿入部から引き抜くだけで、連結を解除することができるため、従来品に比べ連結を解除することが容易である。
【００１０】
ところで、利用者が衣類の上から安全器具を身に付ける場合、衣類の表面には皺があったり何らかの付属品が付いていたりすることで、様々な凹凸が生じており、安全器具の連結部が凹部に嵌り込んでしまうと、利用者は、連結を解除する操作を行い難い場合がある。
【００１１】
そこで、このような場合でも連結を解除する操作をより容易に実施できるようにするには、本考案の安全器具において、操作部は、第１部材の外面から単一方向に向かって突出しており、第１部材が第２部材と連結された場合に、その突出方向については、第２部材の外側に突出する形態とされており、突出方向に直交する方向については、第１部材および第２部材の外形寸法の内側に収まる形態とされていると好ましい。
【００１２】
このような安全器具であれば、安全器具の連結部が衣類の表面にある凹部に嵌り込むような状態にあっても、操作部を衣類表面の凹部から突出させるような向きにして安全器具を装着することができる。
【００１３】
したがって、同種の操作部が２方向以上に向かって突出しているような連結構造とは異なり、１方向に突出する部分を凹部内で露出させる向きにしたことが原因で他方向に突出する部分が凹部内に埋もれてしまうといった問題を招くことがなく、連結を解除する時の操作性を向上させることができる。
【００１４】
なお、上述のように操作部が突出された形態の安全器具として具体的には、第２部材には、挿入方向に延びるスリットが形成され、操作部は、挿入部を被挿入部に挿入したときに被挿入部の内側からスリットを通って被挿入部の外側へ突出する形態になっており、挿入部を被挿入部に対して抜き挿しする際には、被挿入部の外側へ突出する状態を維持したままスリットに案内されて移動するような構造とされているものなどが考えられる。
【００１５】
このような安全器具であれば、操作部はスリットを通って外部に突出しているため、上述と同様に連結を解除する時の操作性を向上させることができる。また、挿入部を被挿入部に対して抜き挿しする際に、操作部は被挿入部の外側へ突出する状態を維持したままスリットに案内されて移動するため、スリットが挿入部の移動の際にガイドの役割を果たし、より着脱の操作が容易となる。
【００１６】
以上のような安全器具の構造としては、様々なものが考えられる。例えば、本考案の安全器具において、操作部は、互いに離間した位置に突設された第１突起と第２突起を備え、第１部材と第２部材が連結された状態で、第１突起と第２突起が互いに近づくように操作部が操作された場合に、挿入部が弾性変形し、挿入部と被挿入部との係合が解除される構造とされているものが考えられる。
【００１７】
また、本考案の安全器具において、第１部材と第２部材が連結された状態で、突出方向とは反対方向の押圧力が操作部に加えられた場合に、挿入部が弾性変形し、挿入部と被挿入部との係合が解除される構造とされているものも考えられる。
【考案を実施するための最良の形態】
【００１８】
次に、本考案の実施形態について、具体的な例を挙げて説明する。
［第１実施形態］
図１は、本考案の第１実施形態における安全器具１の上面図であり、図２は、安全器具１の両端部分の分解斜視図である。図３（ａ）は第１実施形態として例示した安全器具１の両端部分の上面図であり、図３（ｂ）は同じ両端部分の下面図である。図４（ａ）は図３（ａ）のＡ−Ａ断面図であり、図４（ｂ）は図４（ａ）のＢ−Ｂ断面図である。図５（ａ）は図４（ｂ）のＣ−Ｃ断面図であり、図５（ｂ）は図４（ｂ）のＤ−Ｄ断面図である。
【００１９】
本実施形態における安全器具１は、本体１０、第１部材１１、および第２部材１２により構成されている。本体１０は、幅が１００ｍｍ、厚さが５ｍｍ、長さが５００ｍｍの帯状の樹脂成形品であり、光反射材からなっている。第１部材１１は、樹脂性の一体成形品であり、本体１０の一端に固定されている。第２部材１２は、樹脂性の一体成形品であり、本体１０の他端に固定されている。これら第１部材１１と第２部材１２は互いに連結することができ、第１部材１１と第２部材１２を連結すると、安全器具１がリング状になる。
【００２０】
第１部材１１には、第１基部２１と、後述する第２部材１２の被挿入部２６に挿入される挿入部２２が形成されている。第１基部２１の内部には、本体１０の一端を挿入できるような大きさの空洞が形成されている。そして、挿入された本体１０の一端と第１基部２１とに対して、第１基部２１の表面より厚さ方向に雄鋲１５と雌鋲１６を挿し込んで雄鋲１５を雌鋲１６に嵌合させることによって、本体１０の一端が第１部材１１に固定されている。
【００２１】
挿入部２２は、幅方向に互いに離間した第１突起３１と第２突起３２により構成されている。第１突起３１は、挿入方向に突出した形状で、第１基部２１から延設された第１挿入脚４１と、厚さ方向に突出した形状で第１挿入脚４１から延設された第１操作突起４６により構成されている。第１挿入脚４１の挿入方向の先端は、幅方向の外側に向かって突出した鉤型形状になっており、第１鉤５１が形成されている。また、第１挿入脚４１の先端部分には、挿入方向に向かって幅が徐々に狭くなるようなテーパが形成されている。
【００２２】
なお、第２突起３２は、第１突起３１と略同様の形状であり、第２鉤５２が形成された第２挿入脚４２と、第２操作突起４７により構成されている。
第２部材１２には、第２基部２５と、挿入部２２が挿入される被挿入部２６が形成されている。第２基部２５は、第１基部２１と同様の形状であり、第２基部２５の表面より厚さ方向に雄鋲１７と雌鋲１８を挿し込んで雄鋲１７を雌鋲１８に嵌合させることによって、本体１０の他端が第２部材１２に固定されている。
【００２３】
被挿入部２６には、挿入部２２が挿入された場合に、第１挿入脚４１と第２挿入脚４２が収まる空間が形成されている。この空間の幅は、第１鉤５１と第２鉤５２が形成されている挿入部２２の先端部分の幅に比べ狭い幅になっている。また、挿入部２２が被挿入部２６に挿入される際、挿入部２２が被挿入部２６から引き抜かれる際に、第１操作突起４６と第２操作突起４７が被挿入部２６の外側に突出したままで第１挿入脚４１と第２挿入脚４２が被挿入部２６の空間内を移動できるように、被挿入部２６の表面には、挿入方向に延びたスリット３５が形成されている。また、スリット３５の挿入方向の終端部分には、第１鉤５１が引っかかる第１鉤受け５６と、第２鉤５２が引っかかる第２鉤受け５７が形成されている。
【００２４】
以上のような構造の安全器具１において、挿入部２２が被挿入部２６に挿入される際には、第１挿入脚４１および第２挿入脚４２の先端部分のテーパにより、第１突起３１と第２突起３２が、幅方向の離間距離が狭まるように弾性変形する。この弾性変形により、挿入部２２の先端部分の幅は、被挿入部２６の空間を通過できるような幅となる。そして、挿入部２２の先端部分がスリット３５の終端部分に到達すると、第１突起３１と第２突起３２の弾性変形が復元し、第１鉤５１と第２鉤５２が各々第１鉤受け５６と第２鉤受け５７に引っかかり、第１部材１１と第２部材１２が連結されることとなる。
【００２５】
次に、連結された第１部材１１と第２部材１２の連結を解除する際には、幅方向に互いに離間している第１突起３１と第２突起３２を互いに近づけるように、第１操作突起４６と第２操作突起４７に押圧力を加える。そうすると、第１突起３１と第２突起３２が弾性変形し、第１突起３１と第２突起３２の離間距離が狭まり、第１鉤５１と第２鉤５２が第１鉤受け５６および第２鉤受け５７に引っかかっていない状態となる。また、この弾性変形により、挿入部２２の先端部分の幅が、被挿入部２６の空間を通過できるような幅となることで、挿入部２２を被挿入部２６から引き抜くことが可能となり、第１部材１１と第２部材１２の連結を解除することができる。
【００２６】
このような安全器具１であれば、一度だけ挿入部２２を被挿入部２６に挿入するだけで、本体１０の両端を連結することができるため、従来品のように装着に手間がかからない。また、本体１０の両端の連結を解除する際にも、第１操作突起４６と第２操作突起４７を操作して挿入部２２を被挿入部２６から引き抜くだけで、連結を解除することができるため、従来品に比べ連結を解除することが容易である。
【００２７】
また、安全器具１は、第１操作突起４６および第２操作突起４７が厚さ方向にのみ突出した形状であるため、安全器具１の連結部分が衣類の表面にある凹部に嵌り込んだとしても、同種の操作部が２方向以上に向かって突出しているような連結構造とは異なり、１方向に突出する部分を凹部内で露出させる向きにしたことが原因で他方向に突出する部分が凹部内に埋もれてしまうといった問題を招くことがない。
【００２８】
また、挿入部２２を被挿入部２６に対して抜き挿しする際に、第１操作突起４６と第２操作突起４７は被挿入部２６の外側へ突出する状態を維持したままスリット３５に案内されて移動するため、スリット３５が挿入部２２の移動の際にガイドの役割を果たし、より着脱の操作が容易となる。
【００２９】
［第２実施形態］
図６は、第２実施形態として例示した安全器具１００の両端部分の分解斜視図である。図７（ａ）は、第２実施形態として例示した安全器具１００の両端部分の上面図であり、図７（ｂ）は、同じ連結機構の下面図である。図８（ａ）は、図７（ａ）のＥ−Ｅ断面図であり、図８（ｂ）は、図８（ａ）のＦ−Ｆ断面図である。図９（ａ）は、図８（ｂ）のＧ−Ｇ断面図であり、図９（ｂ）は、図９（ａ）における第１部材１１１部分の拡大図であり、図９（ｃ）は、図８（ｂ）のＨ−Ｈ断面図である。
【００３０】
本実施形態における安全器具１００は、本体１１０、第１部材１１１、および第２部材１１２により構成されている。本体１１０は、第１実施形態の本体１０と同様のものであり、本体１０と同様に本体１１０の両端に第１部材１１１と第２部材１１２が固定されている。
【００３１】
第１部材１１１には、第１基部１２１と、後述する第２部材１１２の被挿入部１２６に挿入される挿入部１２２が形成されている。第１基部１２１の内部には、本体１１０の一端を挿入できるような空洞が形成されている。そして、挿入された本体１１０の一端と第１基部１２１とに対して第１基部１２１の表面より厚さ方向に雄鋲１１５と雌鋲１１６を挿し込んで雄鋲１１５を雌鋲１１６に嵌合させることによって、本体１１０の一端が第１部材１１１に固定されている。
【００３２】
挿入部１２２は、第１基部１２１から挿入方向に延設された挿入舌１３１と、後述する可動舌１４１の周囲を囲う形状で、第１基部１２１から挿入方向に延設された挿入枠１３２により構成されている。挿入舌１３１は、可動舌１４１と、可動舌１４１から厚さ方向に突出した形状で、可動舌１４１から延設された操作突起１４３により形成されている。可動舌１４１の挿入方向の先端は、操作突起１４３の突出方向に向かって突出した鉤型形状となっており、鉤１５１が形成されている。この鉤１５１は、挿入枠１３２の外形寸法の厚さ方向に突出した形状となっている。また、可動舌１４１の先端部分には、挿入方向に向かって厚さが徐々に小さくなるようなテーパが形成されている。
【００３３】
第２部材１１２には、第２基部１２５と、挿入部１２２が挿入される被挿入部１２６が形成されている。第２基部１２５は、第１基部１２１と同様の形状であり、第２基部１２５の表面より厚さ方向に雄鋲１１７と雌鋲１１８を挿し込んで雄鋲１１７を雌鋲１１８に嵌合させることによって、本体１１０の他端が第２部材１１２に固定されている。
【００３４】
被挿入部１２６には、挿入部１２２が挿入された場合に、挿入枠１３２と可動舌１４１が収まる空間が形成されている。この空間の厚さ方向の寸法は、可動舌１４１の先端の鉤１５１が形成されている部分の厚さ方向の寸法に比べ短くなっている。また、挿入部１２２が被挿入部１２６に挿入される際、挿入部１２２が被挿入部１２６から引き抜かれる際に、操作突起１４３が被挿入部１２６の外側に突出したままで挿入枠１３２と可動舌１４１が被挿入部１２６の空間内を移動できるように、被挿入部１２６の表面には、挿入方向に延びたスリット１３５が形成されている。また、スリット１３５の挿入方向の終端部分には、鉤１５１が引っかかる鉤受け１５６が形成されている。
【００３５】
以上のような構造の安全器具１００において、挿入部１２２が被挿入部１２６に挿入される際には、可動舌１４１の先端部分のテーパにより、可動舌１４１が、操作突起１４３の突出方向とは反対方向に沈み込むように弾性変形する。この弾性変形により、可動舌１４１の先端部分の厚さ方向の寸法は、被挿入部１２６の空間を通過できるような寸法となる。そして、可動舌１４１の先端部分がスリット１３５の終端部分に到達すると、可動舌１４１の弾性変形が復元し、鉤１５１が鉤受け１５６に引っかかり、第１部材１１１と第２部材１１２が連結されることとなる。
【００３６】
次に、連結された第１部材１１１と第２部材１１２の連結を解除する際には、操作突起１４３に突出方向とは反対方向に押圧力を加える。そうすると、可動舌１４１が弾性変形し、可動舌１４１が沈み込み、鉤１５１が鉤受け１５６に引っかかっていない状態となる。また、この弾性変形により、可動舌１４１の先端部分の厚さ方向の寸法が、被挿入部１２６の空間を通過できるような寸法となることで、挿入部１２２を被挿入部１２６から引き抜くことが可能となり、第１部材１１１と第２部材１１２の連結を解除することができる。
【００３７】
以上より、このような安全器具１００であっても、上述の第１実施形態と同様の効果を奏する。
［その他の実施形態］
以上、本実施形態について説明したが、本考案は上記の具体的な一実施形態に限定されず、この他にも種々の形態で実施することができる。
【００３８】
上記実施形態においては、本体は、反射材からなり、所定のサイズに成形された帯状の樹脂成形品であると説明したが、暗い場所において周囲への注意喚起を図るために利用できるものであれば反射材以外のものであっても良い。反射材以外のものとしては、例えば、自ら発光する発光材等を挙げることができる。
【００３９】
また、上記実施形態においては、本体は、帯状のものであると説明したが、所定の長さを有し端部を連結して利用するようなものであれば帯状以外のものであっても良い。帯状以外のものとしては、例えば、断面が円形や多角形の紐状のものを挙げることができる。
【図面の簡単な説明】
【００４０】
【図１】第１実施形態として例示した安全器具の上面図である。
【図２】第１実施形態として例示した安全器具の両端部分の分解斜視図である。
【図３】（ａ）は第１実施形態として例示した安全器具の両端部分の上面図であり、（ｂ）は同じ両端部分の下面図である。
【図４】（ａ）は図３（ａ）のＡ−Ａ断面図であり、（ｂ）は図４（ａ）のＢ−Ｂ断面図である。
【図５】（ａ）は図４（ｂ）のＣ−Ｃ断面図であり、（ｂ）は図４（ｂ）のＤ−Ｄ断面図である。
【図６】第２実施形態として例示した安全器具の両端部分の分解斜視図である。
【図７】（ａ）は第２実施形態として例示した安全器具の両端部分の上面図であり、（ｂ）は同じ連結機構の下面図である。
【図８】（ａ）は図７（ａ）のＥ−Ｅ断面図であり、（ｂ）は図８（ａ）のＦ−Ｆ断面図である。
【図９】（ａ）は図８（ｂ）のＧ−Ｇ断面図であり、（ｂ）は図９（ａ）における第１部材部分の拡大図であり、（ｃ）は図８（ｂ）のＨ−Ｈ断面図である。
【符号の説明】
【００４１】
１，１００・・・安全器具、１０，１１０・・・本体、１１，１１１・・・第１部材、１２，１１２・・・第２部材、１５，１７，１１５，１１７・・・雄鋲、１６，１８，１１６，１１８・・・雌鋲、２１，１２１・・・第１基部、２２，１２２・・・挿入部、２５，１２５・・・第２基部、２６，１２６・・・被挿入部、３１・・・第１突起、３２・・・第２突起、３５，１３５・・・スリット、４１・・・第１挿入脚、４２・・・第２挿入脚、４６・・・第１操作突起、４７・・・第２操作突起、５１・・・第１鉤、５２・・・第２鉤、５６・・・第１鉤受け、５７・・・第２鉤受け、１３１・・・挿入舌、１３２・・・挿入枠、１４１・・・可動舌、１４３・・・操作突起、１５１・・・鉤、１５６・・・鉤受け。
【図１】
0003142924.tif 000003
【図２】
0003142924.tif 000004
【図３】
0003142924.tif 000005
【図４】
0003142924.tif 000006
【図５】
0003142924.tif 000007
【図６】
0003142924.tif 000008
【図７】
0003142924.tif 000009
【図８】
0003142924.tif 000010
【図９】
0003142924.tif 000011